(57)【要約】【課題】従来の玄蕎麦石抜機では除去することができない不純物で玄蕎麦より比重の軽い軽石を長時間連続的に除去することを可能にする。【解決手段】ホッパー（３）から投入された玄蕎麦が排出樋（１３）に落下し、外部へ排出される途中で排出樋（１３）上部にある永久マグネット（９）が磁力により軽石を吸着させ除去する。永久マグネット（９）は回転運動をしているマグネット付回転円盤の円周を囲むように配置されており、軽石が吸着したまま排出樋（１３）外部にあるブラシ（１４）上を通過する。その際、軽石はブラシ（１４）にはぎ取られ、レール梁（２２）内を落下し、除去済軽石格納箱へ入る。軽石をはぎ取られた永久マグネットは回転運動により再び排出樋（１３）内へ向い軽石を除去するという連続運動で長時間の除去を可能とした装置である。【選択図】図１
2007014913.tif 000002
【特許請求の範囲】
【請求項１】
上面にホッパー固定座で固定されたホッパーを有し、躯体クレーム底部隅に設置されたプーリー駆動モーターと、躯体フレーム短手側面中央部に長手方向へ縦断するように配される動力フレームとその上部、プーリー駆動モーター側に配され、動力を連動させるプーリーと、プーリー中心部からややはずれた場所に接着され回転する動力をもう一方、ホッパー固定座真下に備えられたシュート排出先にあたり、動力フレーム上数カ所に設置されたローラーシャフトに乗った状態でホッパーから投入された軽石等の不純物が混入した玄蕎麦を外部へ排出させる排出樋のプーリー側側面に設置された運動軸とをクランクシャフトにて連結させ、ゆするような運動をする排出樋上部、軽石等が吸着する距離上で排出樋と平行する位置に、躯体フレーム上面から機体の内部に向かい設置され変速付モーター固定台により安定性を保つ変速付モーターと、その先端に連結された回転駆動軸を中心とした円周上数カ所に永久マグネットを配し、一部動力フレームより突出した円形のマグネット付回転円盤と、マグネット付回転円盤の安定を図るため動力フレーム長手方向両外側、躯体フレーム下部との両方に貼られたレール梁固定プレート２枚に円弧状のレール梁を設置し、レール梁上をなぞるよう接着された円盤用レール上に各数カ所設けられている円盤安定ローラーにマグネット付回転円盤を乗せた状態でマグネット付回転円盤が回転する際、排出樋にて軽石を吸着させた永久マグネットが動力フレームとレール梁の間に設置するブラシ固定金具で固定されたブラシの上を通過し、永久マグネットから軽石をはぎ取り、永久マグネットから軽石が除去された状態でさらに回転を続け、排出樋に向かい軽石を吸着させ玄蕎麦と軽石を分離するという作業を連続的に行えることを可能にした玄蕎麦の製粉過程における円盤式軽石除去機。
【請求項２】
請求項１記載の玄蕎麦の製粉過程における円盤式軽石除去機において、動力フレームとレール梁の間に設置されたブラシにより回転する永久マグネットからはぎ取られた軽石がレール梁内を通過し、除去済軽石格納箱へ落下する玄蕎麦と分離されて格納することを特徴とする玄蕎麦の製粉過程における円盤式軽石除去機。
【発明の詳細な説明】
【技術分野】
【０００１】
本発明は玄蕎麦に混入している不純物であり、比重の軽い軽石（火山礫）を磁石により除去する装置に関するものである。
【背景技術】
【０００２】
従来の石抜機は玄蕎麦と不純物である石の比重の差を利用し、自動の篩にかけて遠心力を応用し選別したり、コンベアや樋の上部に磁石を設置し、そこで吸着させ除去する装置があった。
【特許文献１】特開２００２−３０６０７０
【特許文献２】特願２００４−３７２４８８
【非特許文献１】株式会社國光社  カタログ抜粋  そば石抜機
【発明の開示】
【発明が解決しようとする課題】
【０００３】
しかしながら、玄蕎麦と不純物の比重の差で除去する方法では軽石等の玄蕎麦と同程度、または軽い不純物は除去することが不可能である。また、コンベアや樋の上部に磁石を設け、吸着させることにより除去するのは方法的には正しいのだが磁石に吸着した不純物は手作業にて取らなくてはならなく、大量に作業を行う上で非常に効率が悪い。
【課題を解決するための手段】
【０００４】
本発明は従来、取り除くことができなかった比重の軽い軽石の除去を長時間連続的に行うことができ、製麺した際に玄蕎麦本来の味を損ねることなく仕上げることが目的である。この比重が軽い軽石は火山礫と呼ばれており、その成分中に鉄分が含まれていることがわかっている。そこでマグネットを利用し玄蕎麦に混入している軽石を吸着させ、除去を試みるものである。
【０００５】
さらに、以下の点にも特徴を有するものである。
１）玄蕎麦が流れる排出樋（１３）は前後にゆするような運動をするので玄蕎麦同士が重なることはなく軽石が玄蕎麦に埋もれることはない。
２）永久マグネット（９）は玄蕎麦が流れる排出樋（１３）の上部に設置してあり、軽石に含まれる鉄分が反応し吸着するので軽石と玄蕎麦を完全に分離することができる。
３）永久マグネット（９）に吸着した軽石はブラシ（１４）によってはぎ取られ、軽石がなくなった状態で再び排出樋（１３）を流れる玄蕎麦内の軽石を吸着させるので大量にかつ、長時間の作業を可能としている。
４）ブラシ（１４）ではぎ取られた軽石はレール梁（２２）を通過して除去済軽石格納箱（２４）へ落下するので玄蕎麦とは分別することが可能である。
【発明の効果】
【０００６】
本発明により、従来の機械では除去することができなかった軽石を玄蕎麦が流れる排出樋（１３）上部にある永久マグネット（９）へ吸着することにより除去することが可能で、永久マグネット（９）に吸着した軽石はブラシ（１４）ではぎ取られレール梁（２２）を通過して除去済軽石格納箱（２４）へ落下し、永久マグネット（９）は再び排出樋（１３）に流れる玄蕎麦から軽石を吸着させるという連続運動をすることができるのである。
【発明を実施するための最良の形態】
【０００７】
本発明は玄蕎麦に混入している不純物の軽石に鉄分が含まれていることに着目し、磁石を利用して除去を行い、さらに磁石を回転体の円周に配置することで排出樋（１３）上部から移動した際にブラシ（１４）で吸着している軽石をはぎ取り、軽石の吸着してない状態で再度排出樋（１３）上部に移動し軽石を除去するといったような連続作業を可能とした装置であるが具体的な実施例を説明する。
【０００８】
図１が示すとおり、躯体フレーム（１）上面にホッパー固定座（４）にて取り付けてあるホッパー（３）から玄蕎麦を投入すると装置外部に飛び出すのを防止するためホッパー（３）と連結しており、躯体フレーム（１）短手側中央部に長手方向へ縦断するように設置された動力用フレーム（２）上に配したプーリー（５）からクランクシャフト（６）を介して運動軸（７）により連結された排出樋（１３）との間に設置されたシュート（８）内を玄蕎麦が通過し排出樋（１３）に落下していく。
【０００９】
動力フレーム（２）上、一方隅に設置してあるプーリー（５）は躯体フレーム（１）底部隅のプーリー駆動モーター（２０）と連動しておりプーリー駆動モーター（２０）が動くとプーリー（５）が回転運動するようになっている。プーリー（５）中央部よりややはずれた場所にクランクシャフト（６）が接続され、その先にある排出樋（１３）に付いている運動軸（７）と連結している。よってプーリー（５）が回転すると排出樋（１３）も回転運動をするようになるのである。
【００１０】
排出樋（１３）は動力フレーム（２）上、両端に設置してあるローラーシャフト（１９）上部に乗せるような状態で配しており、ローラーシャフト（１９）が回転運動をする排出樋（１３）の上下運動を抑制する。したがって排出樋（１３）は前後運動のみのゆするという動きになる。さらに排出樋（１３）は玄蕎麦が投入されるシュート（８）側の方を外部に排出される口側よりも高い場所に設置し、角度を設けているためホッパー（３）から投入された玄蕎麦はゆするという動きと角度の効果で粒が重ならずに流れ外部へ排出されるのである。
【００１１】
排出樋（１３）上部には玄蕎麦に混入する軽石が磁力により吸着する高さで排出樋（１３）と平行に設置された円形のマグネット付回転円盤（１０）の円周をなぞるようにして円形に配置された永久マグネット（９）がある。永久マグネット（９）はマグネット取付ボルト（１１）により固定されており、マグネット付回転円盤（１０）は中央部回転駆動軸（１６）が接続されている躯体フレーム（１）上面から機体内部へ挿入されていて躯体フレーム（１）上面よりぶら下がっている変速付モーター固定台（１８）に固定されている変速付モーター（１７）が回転することでマグネット付回転円盤（１０）も回転をはじめ、その際に排出樋（１３）内を流れる軽石を永久マグネット（９）の磁力によって吸着させ除去する。また、マグネット付回転円盤（１０）はその安定性を保つため本体両横動力フレーム（２）の外側２箇所に設置されているレール梁固定プレート（２３）本体外側に張り出すよう接続される円弧形状のレール梁（２２）の上部に設置された円盤用レール（２１）。さらに、円盤用レール（２１）上部に各３箇所配されている円盤安定ローラー（１２）の上に乗せ、ぶれることを防止した仕組みとなっている。
【００１２】
吸着した軽石の付いた永久マグネット（９）は回転を続け排出樋（１３）外部へと移動する。外部には動力用フレーム（２）に設置され、レール梁固定プレート（２３）に取り付けられたレール梁（２２）内から動力用フレーム（２）の上部に設置するブラシ固定金具（１５）で固定されたブラシ（１４）の上を通過する。その際永久マグネット（９）に吸着した軽石はブラシ（１４）と接触するためはぎ取られレール梁（２２）内を落下し、除去済軽石格納箱（２４）に入る。軽石が取られた永久マグネット（９）はさらに回転を続け、排出樋（１３）内へ向かい玄蕎麦内に混入している軽石を磁力で吸着し、除去する。この連続作業により大量にしかも長時間の運転が可能な軽石除去装置となるのである。
【図面の簡単な説明】
【００１３】
【図１】本発明品本体の縦断図である。
【図２】本発明品本体の横断図である。
【図３】本発明の永久マグネット（９）に吸着した軽石を除去する部分の立体図である。
【図４】マグネット付回転円盤（１０）を上部から見た図である。
【符号の説明】
【００１４】
１  躯体フレーム
２  動力用フレーム
３  ホッパー
４  ホッパー固定座
５  プーリー
６  クランクシャフト
７  運動軸
８  シュート
９  永久マグネット
１０  マグネット付回転円盤
１１  マグネット取付ボルト
１２  円盤安定ローラー
１３  排出樋
１４  ブラシ
１５  ブラシ固定金具
１６  回転駆動軸
１７  変速付モーター
１８  変速付モーター固定台
１９  ローラーシャフト
２０  プーリー駆動モーター
２１  円盤用レール
２２  レール梁
２３  レール梁固定プレート
２４  除去済軽石格納箱
【図１】
2007014913.tif 000003
【図２】
2007014913.tif 000004
【図３】
2007014913.tif 000005
【図４】
2007014913.tif 000006